(57)【要約】  【課題】低操作力で開扉操作性の高い冷蔵庫を提供する。  【解決手段】冷蔵室１３の前面開口部に備えられた冷蔵室扉１８に操作検知部２４を備え、上下方向を長手方向として連続的に配置し、この操作検知部２４のどこを触っても、入力信号を検知することにより、扉を開放する際に操作に反応する領域を拡げることができるので、開扉操作性を高めることができ、高齢者を含む幅広い年齢層の使用者にとって、使い勝手の良い冷蔵庫を提供することができる。【選択図】図１
2006220388.tif 000002
【特許請求の範囲】
【請求項１】
冷蔵庫本体の前面開口部に開閉自在に設けられた扉と、前記扉を開放または閉鎖させる動作手段と、前記動作手段への入力信号を人間の接触によって検知する操作検知部とからなり、前記操作検知部は、前記扉の前面側の所定領域内に連続的に設けられるとともに前記所定領域内のいずれの箇所を触っても入力信号を検知するものである冷蔵庫。
【請求項２】
前記操作検知部の前記所定領域は、手のひら全体が接触可能な大きさである請求項１に記載の冷蔵庫。
【請求項３】
前記扉は一端を軸支され回転する回転式扉であり、前記操作検知部は前記回転式扉の上下方向を長手方向として連続的に配置される請求項１または２に記載の冷蔵庫。
【請求項４】
前記扉は一端を軸支され回転する回転式扉であり、前記回転式扉の幅方向の中心軸に対して、回転軸と反対側に前記操作検知部を設けた請求項１から３のいずれか一項に記載の冷蔵庫。
【請求項５】
前記冷蔵庫本体内に形成された空間内に収納部材と、前記収納部材を前後に移動可能とするレール部材とを備え、前記扉は前記収納部材の前面に設けられた引出し式扉であり、前記操作検知部は前記扉の左右方向を長手方向として連続的に配置される請求項１または２に記載の冷蔵庫。
【請求項６】
前記冷蔵庫本体内に形成された空間内に収納部材と、前記収納部材を前後に移動可能とするレール部材とを備え、前記扉は前記収納部材の前面に設けられた引出し式扉であり、前記操作検知部は前記引出し扉の幅方向における略中心軸上に設けられた請求項１または２または５に記載の冷蔵庫。
【請求項７】
前記操作検知部の近傍に取手を配置する請求項１から６のいずれか一項に記載の冷蔵庫。
【請求項８】
前記操作検知部に、振動検知手段を設けた請求項１から７のいずれか一項に記載の冷蔵庫。
【請求項９】
前記振動検知手段として、圧電素子を用いる請求項８に記載の冷蔵庫。
【請求項１０】
前記操作検知部に、シート状の接点スイッチを用いる請求項１から９のいずれか一項に記載の冷蔵庫。
【請求項１１】
前記操作検知部は、人間の接触をスイッチの物理的な可動以外の方法で検知するものである請求項１から１０のいずれか一項に記載の冷蔵庫。
【請求項１２】
前記操作検知部に、静電センサを設けた請求項１１に記載の冷蔵庫。
【請求項１３】
前記操作検知部の色は、前記操作検知部が配設される前記扉とは違う色である請求項１から１２のいずれか一項に記載の冷蔵庫。
【発明の詳細な説明】
【技術分野】
【０００１】
本発明は扉を開放または閉鎖する動作手段を有する冷蔵庫に関するものである。
【背景技術】
【０００２】
近年、高齢化社会を迎え、家庭内で使用される機器の使い勝手向上が重要視されてきている。一方冷蔵庫においては、近年の大型化大容量化の流れに伴って、その扉も相対的に大型化してきており、開閉にかかる身体的負担が増大する傾向にある。このため、冷蔵庫における扉の開閉を補助し、特に開扉時の負荷を低減することを狙いとした冷蔵庫が提案されている。
【０００３】
従来、この種の冷蔵庫としては、開扉スイッチを押すと扉開放装置が駆動し扉を押し出すものがある（例えば、特許文献１参照）。
【０００４】
図１３は、特許文献１に記載された従来の冷蔵庫を示す斜視図である。
【０００５】
図に示すように断熱された冷蔵庫本体４の開口部３に開閉自在に設けられ、この開口部３を適宜開閉する扉５と、この扉５の表面６に設けられた扉開放用スイッチ７と、この扉開放用スイッチ７と連動し、スイッチが押されると扉５を開放する扉開放機構８とを有している。
【０００６】
また、この扉開放スイッチ７ａ，７ｂ，７ｃ，７ｄ，７ｅは４それぞれの扉の角部に設けられており、これらの各スイッチの前面側に突出するように操作部１２が設けられている。
【０００７】
以上のように構成された冷蔵庫において、以下その動作を説明する。
【０００８】
扉５を開放するために、使用者は扉５の前面部に備えられた操作部１２を指で押す。この押圧によって扉５の開放信号を検知し、制御手段を介して扉開放機構８が動作し、電動で扉が開放される。
【０００９】
また、停電等により冷蔵庫に通電されていない時には、従来同様に手で扉５の開放を行うことができる。
【特許文献１】特開２０００−１４６４２１号公報
【発明の開示】
【発明が解決しようとする課題】
【００１０】
しかしながら、上記従来の構成では、冷蔵庫における扉の開閉を補助し、特に開扉時の負荷を低減することはできるが、扉に設けられた扉開放スイッチが小さく、また、扉開放スイッチを動作させる場合には、押し込み操作が必要であり、手で一定量以上の荷重を印加する必要があった。
【００１１】
特に、近年は高齢化社会を迎え、家庭内で使用される機器の使い勝手向上が重要視されてきており、高齢者においては、扉開放スイッチが小さくて見えにくい為、開扉操作がスムーズに行うことができず、またスイッチを押す押圧力が大きく押す動作が手や指の負担となるといった課題があった。
【００１２】
本発明は、上記従来の課題を解決するもので、スイッチの場所がわかりやすくスムーズに開扉操作が行える使い勝手のよい冷蔵庫を提供することを目的とする。
【課題を解決するための手段】
【００１３】
上記従来の課題を解決するために、本発明の冷蔵庫は、前面開口部を有する冷蔵庫本体と、前記前面開口部に開閉自在に設けられた扉と、前記扉を開放または閉鎖させる動作手段と、前記動作手段への入力信号を人間の接触によって検知する操作検知部とからなり、前記操作検知部は、前記扉の前面側の所定領域内に連続的に設けられるとともに所定領域内のどこを触っても入力信号を検知するものである。
【００１４】
これによって、操作検知領域を拡げることができる。
【発明の効果】
【００１５】
本発明の冷蔵庫は、扉を開放する際に操作に反応する領域を拡げることができるので、開扉操作性を高めることができ、冷蔵庫の使い勝手を向上させることができる。
【発明を実施するための最良の形態】
【００１６】
請求項１に記載の発明は、冷蔵庫本体の前面開口部に開閉自在に設けられた扉と、前記扉を開放または閉鎖させる動作手段と、前記動作手段への入力信号を人間の接触によって検知する操作検知部とからなり、前記操作検知部は、前記扉の前面側の所定領域内に連続的に設けられるとともに前記所定領域内のいずれの箇所を触っても入力信号を検知するものであり、操作検知部への接触場所を限定することなく、広い範囲での操作検知が可能となり、開扉操作性を高めることができる。
【００１７】
請求項２に記載の発明は、操作検知部の所定領域を手のひら全体が接触可能な大きさに設定したものであり、指先だけでなく手のひら全体で触ることが可能となり、操作の自由度を高め、良好な開扉操作性を得ることができる。
【００１８】
請求項３に記載の発明は、前記扉は一端を軸支され回転する回転式扉であり、前記操作検知部は、前記扉の上下方向を長手方向として連続的に配置されるものであり、操作する人の身長にかかわらず同等の負荷で操作検知することができるとともに官能的に違和感のない扉開放が実現でき、良好な開扉操作性を得ることができる。
【００１９】
請求項４に記載の発明は、前記扉は一端を軸支され回転する回転式扉であり、前記回転式扉の幅方向の中心軸に対して、回転軸と反対側に前記操作検知部を設けたものであり、通常の手動で扉を開ける際の取手の位置と同じような場所に位置させることで、官能的に違和感のない扉開放が実現でき、良好な開扉操作性を得ることができる。
【００２０】
請求項５に記載の発明は、前記冷蔵庫本体内に形成された空間内に収納部材と、前記収納部材を前後に移動可能とするレール部材とを備え、前記扉は前記収納部材の前面に設けられた引出し式扉であり、前記操作検知部は前記扉の左右方向を長手方向として連続的に配置されるものであり、官能的に違和感のない扉開放が実現でき、良好な開扉操作性を得ることができる。
【００２１】
請求項６に記載の発明は、前記冷蔵庫本体内に形成された空間内に収納部材と、前記収納部材を前後に移動可能とするレール部材とを備え、前記扉は前記収納部材の前面に設けられた引出し式扉であり、前記操作検知部は前記引出し扉の幅方向における略中心軸上に設けられたものであり、通常の手動で扉を開ける際の取手の位置と同じような場所に位置させることで、官能的に違和感のない扉開放が実現でき、良好な開扉操作性を得ることができる。
【００２２】
請求項７に記載の発明は、操作検知部の近傍に取手を配置することにより、開扉操作後の扉開放動作を手でアシストしやすくなり、より良好な開扉操作性を得ることができる。
【００２３】
請求項８に記載の発明は操作検知部に振動検知手段を設けたものであり、操作時の振動を検知することにより動作信号の発生が可能となり、従来に比べて低操作力での開扉動作を実現することができる。
【００２４】
請求項９に記載の発明は、振動検知手段に圧電素子を用いることにより、微少振動検知による動作信号の発生が可能となり、低操作力での開扉動作を実現することができる。
【００２５】
請求項１０に記載の発明は、操作検知部にシート状の接点スイッチを用いたものであり、微少な操作ストロークでの動作信号の発生が可能となり、低操作力での開扉動作を実現することができる。
【００２６】
請求項１１に記載の発明は、前記操作検知部は、人間の接触をスイッチの物理的な可動以外の方法で検知するものであるものであり、操作時に操作検知部を物理的に押すことなく動作信号を発生することが可能となり、低操作力での開扉動作を実現することができる。
【００２７】
請求項１２に記載の発明は、操作検知部に静電センサを設けたものであり、前記操作検知部に触れるだけで動作信号を発生させることが可能となり、低操作力での開扉動作を実現することができる。
【００２８】
請求項１３に記載の発明は、前記操作検知部の色を前記扉と違う色を用いるもので、冷蔵庫の扉に対して操作検知部の色が違うことで、操作検知部を官能的により見えやすくすることができる為、開扉操作がスムーズに行うことができる。
【００２９】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００３０】
（実施の形態１）
図１は、本発明の実施の形態１における冷蔵庫の正面図である。図２は、同実施の形態のＡ−Ａ断面を示す要部断面図である。図３は、同実施の形態の扉開状態を示す冷蔵庫の側面図である。
【００３１】
図１、図２、図３において、冷蔵庫本体２は前面が開口された複数の貯蔵室、すなわち冷蔵室１３と、野菜室１４と、製氷室１５と、切替室１６と、冷凍室１７を備えている。この時、製氷室１５と切替室１６は同一高さに平行して配置されている。また、これら複数の貯蔵室に対応し、各貯蔵室の開口部を閉塞するよう複数の扉、すなわち冷蔵室扉１８と、野菜室扉１９と、製氷室扉２０と、切替室扉２１と、冷凍室扉２２が配置されている。冷蔵庫本体２からは上下に対向したヒンジピン２３が延伸されており、冷蔵室扉１８の一端を軸支している。冷蔵室扉１８はヒンジピン２３を中心として回転し、開閉することが可能である。また、野菜室扉１９、製氷室扉２０、切替室扉２１、冷凍室扉２２は引き出し式の扉であり、それぞれの貯蔵室に備えられた収納部材の前面側に扉が備えられており、これらの収納部材および扉を前後に移動可能とするレール部材によって手前方向にスライドして開閉が可能となっている。
【００３２】
冷蔵室扉１８には、操作検知部２４が設けられており、操作検知部２４は振動検知手段２５と、センサケース２６と、表面板２７と、弾性体２８とから構成されている。操作検知部２４の大きさとしては、少なくとも手のひら全体が触れる大きさである１５０ｍｍ以上の長さであることが好ましい。
【００３３】
この時、表面板２７はＡＢＳ樹脂、ＰＥＴ樹脂などの薄板であり、接着剤あるいは高周波溶着等でセンサケース２６に固定されている。また、センサケース２６と表面板２７との空間には弾性体２８が圧入されている。弾性体２８は、例えばポリウレタンフォームやポリエチレンフォームの様な発泡体を使用している。
【００３４】
振動検知手段２５は、圧電素子２９と回路部３０とからなり、圧電素子２９は表面板２７と弾性体２８の間で挟持されるように配置されている。
【００３５】
また、操作検知部２４は、長手方向を冷蔵庫の上下方向とし、またさらにヒンジピン２３を中心とした回転軸から略反対側、すなわち冷蔵室扉１８の中心線よりも反回転軸側で、かつ、扉端部の近傍に配置されており、操作検知部２４の表面は扉の前面部分とは違う色を用いている。
【００３６】
冷蔵庫本体２の上部には動作手段３１が設けられており、プッシュロッド３２を動作させる。なお、図示はしないが、動作手段３１としてはモータ駆動のアクチュエータや、ソレノイド方式の駆動装置が用いられる。
【００３７】
冷蔵庫本体２の背面には制御部３３が設けられており、振動検知手段２５と制御部３３間、及び制御部３３と動作手段３１間は電気的に接続されている。
【００３８】
以上のように構成された冷蔵庫について、以下その動作、作用を説明する。
【００３９】
まず、操作検知部２４に手が触れると、表面板２７に印加された振動が圧電素子２９に伝わり、電気信号を発生させる。圧電素子２９で発生した電気信号は非常に微弱であり、回路部３０にて増幅される。その後、増幅された電気信号の値がある一定の値を超えていると判断された場合にＯＮ信号を発生させる。回路部３０から送られたＯＮ信号は電気的に接続された制御部３３に送られ、ＯＮ信号のパルス幅が所定の値を超えている場合に接触があったと判断する。接触有りと判断すると、同じく電気的に接続された動作手段３１へ動作信号を送る。動作信号を受けた動作手段３１は、モータもしくはソレノイドを駆動させ、プッシュロッド３２を冷蔵室扉１８方向に押し出し、冷蔵室扉１８を開放させる。
【００４０】
また、操作検知部２４は冷蔵室扉１８に上下方向に連続的に配置されており、大人から子供まで身長にかかわらず操作が可能である。さらに、操作検知部２４の表面は扉の前面部分とは違う色を用いているので、官能的に操作検知部がわかりやすく、かつ外観意匠性を向上させることができ、デザイン性と機能性を両立させることが可能となる。
【００４１】
さらに、操作検知部２４の大きさは、１５０ｍｍ以上の手のひら全体が接触可能な長さに設定されているため、操作検知部を正確に狙わずとも大体の目安で手を触れることで操作することができる。
【００４２】
これらのことより、操作検知部２４への操作は、操作方法の限定を少なくすることができ、手の甲、ひじ、腕等、手のひら以外の部位でも操作可能にすることができる。よって、鍋等を手に持っている場合の開扉操作が行いやすくなる。
【００４３】
さらに、操作検知部２４は回転式扉である冷蔵室扉１８の幅方向に対して反回転軸側、かつ端面近傍に設置されているが、これは、操作検知部２４に接触して冷蔵室扉１８が手前方向に開いたときの安全性確保と手動でドアを開ける際との官能的な違和感の防止を図ったものである。安全性を確保するために、冷蔵室扉１８はある一定の速度以下で動作するよう設定される。しかしながら、このような速度ではドアを全開まで開くことは難しく、初期動作後は手で介添えしながらドアを開いていくことになる。このときに、操作検知部２４が冷蔵室扉１８の反回転軸側で、端面近傍にあると、操作後の介添え動作が違和感なくスムーズに行えるのである。
【００４４】
また、操作検知部２４には振動検知手段２５を設け、動作手段３１を駆動させるスイッチとして用いている。さらに振動検知手段２５は圧電素子２９を用いているが、これは軽い操作感を狙ったものである。操作検知部２４へは微小振動を加えるだけで済み、鍋等を手に持っている場合や力のない高齢者が使用する場合でも、極わずか触れるだけで扉開放を行うことができる。
【００４５】
また、１５０ｍｍ以上で上下方向に連続的に配置された操作検知部を実現させるその他の手段としては、操作検知部２４に縦長の可動部材を設け、さらに可動部材の動きによって電気的にＯＮ、ＯＦＦするタクトスイッチを使用することが考えられる。人が可動部材をある一定量押し込むことによりタクトスイッチが電気的に接続し、動作手段３１を駆動させるのであるが、可動部材が長くなるに従い、タクトスイッチから遠い場所を触る場合は大きな操作力が必要になってくる。この問題を解決する為には、複数のタクトスイッチを用いるか、あるいは均一の操作力を得ることができる機構を設ける必要がある。しかしながら、これらの機械的な可動部を手で動かす方式では、ある一定以上の操作力が必要であり、操作力を低減することは困難となってくる。このような時に、本実施の形態の如く圧電素子２９を用いれば、広い範囲を均一な低操作力で操作することができる。
【００４６】
また、操作検知部２４以外の場所を触った時には誤動作することを防ぐ必要があるが、圧電素子２９を用いた振動検知手段２５の場合は、回路部３０で増幅された電気信号が一定値を超えているかを回路部３０内で判定する動作を行うことと、さらには回路部３０から送られたＯＮ信号のパルス幅が一定値を超えているかを制御部３３内で判定する動作を行っており、操作に対して二重の判定を設けている。操作検知部２４以外を直接触る場合と同じ操作力で触った場合には、回路部３０内で増幅後の信号は、直接触った場合に比べて小さく、一定値を超えることはない。また、操作検知部２４以外を激しく打撃した場合は、回路部３０内での増幅後の信号が一定値を超えＯＮ信号が出てしまうが、衝撃的な力が加わるため、ＯＮ信号のパルス幅は小さく出力される。制御部３３ではパルス幅が一定値未満の信号は接触していないと判断するため、動作手段３１が動くことはない。従って、操作検知部２４に触れた場合とそれ以外の場所に触れた場合を明確に切り分けることができる。さらに、誤動作を防止する際には、ＯＮ信号を受けて動作手段によって冷蔵庫扉が開放された後、一定の時間が経っても使用者の介添え操作によってさらに扉が大きく開らかれない場合には、アラームや音声で警告を発するか、また閉扉装置がついている冷蔵庫においては、閉扉装置を動作させて、自動的に扉を閉める動作を行うといった安全制御を行うことが有効である。
【００４７】
また、ＡＢＳ樹脂あるいはＰＥＴ樹脂の薄板でできた表面板２７は、１〜２Ｎの静荷重を印加した時に０．５ｍｍ程度撓むように厚みが設定されている。センサケース２６に圧入されている弾性体２８により、圧電素子２９は表面板２７に常に押し付けられている状態になっており、表面板２７に触るとその振動が圧電素子２９に伝わるようになっている。これにより、微少な振動でも圧電素子２９へ確実に伝えることができる。
【００４８】
以上のように、本実施の形態では、操作検知部２４を冷蔵室扉１８に上下方向に連続的に配置することにより、広範囲での操作検知が可能となり、かつ、身長にかかわらず操作することができ、良好な開扉操作性を得ることができる。
【００４９】
また、本実施の形態では、操作検知部２４の大きさを手のひら全体が接触可能な長さに設定したため、大体の目安で操作することができ、操作の自由度が高く、良好な開扉操作性を得ることができる。
【００５０】
また、本実施の形態では、操作検知部２４を冷蔵室扉１８の反回転軸側、かつ端面近傍に設けているため、操作後の介添え動作がスムーズであり、良好な開扉操作性を得ることができる。
【００５１】
また、本実施の形態では、操作検知部２４に振動検知手段２５を設け、かつ、振動検知手段２５に圧電素子２９を用いたため、微小振動検知による動作信号の発生が可能となり、低操作力での開扉動作を実現することができる。
【００５２】
なお、本実施の形態においては、操作検知部２４は開扉操作を行う為の信号を検知し、動作手段３１によってモータやソレノイドといった電動部品で開扉操作を行うものとしたが、同様の操作検知部によって閉扉操作を行う為の信号を検知し、動作手段３１として閉扉装置を設置することで、微小振動検知による動作信号の発生が可能となり、低操作力での閉扉動作を実現することも可能である。
【００５３】
（実施の形態２）
図４は、本発明の実施の形態２における冷蔵庫の正面図である。図５は、同実施の形態のＢ−Ｂ断面を示す要部断面図である。
【００５４】
図４、図５において、冷蔵室扉１８には凹部３４が設けられており、センサケース２６には、センサケース２６と一体で形成された取手３５が設けられている。
【００５５】
また、冷蔵庫の開扉動作を行う動作手段は、回転式扉である冷蔵室扉１８に加え、引出し式扉である野菜室扉１９および冷凍室扉２２の前面側にそれぞれが設けられていることで、使用者の扉開放を補助している。また、操作検知部２４は冷蔵室扉用操作検知部２４ａと、野菜室扉用操作検知部２４ｂと、冷凍室扉用操作検知部２４ｃは、それぞれ扉の取手３５と一体となって形成されており、冷蔵室扉用操作検知部２４は、冷蔵室扉１８の幅方向の中心軸よりも反回動軸側に備えられ、扉の上下方向を長手方向として連続的に配置されているのに対して、野菜室扉用操作検知部２４ｂおよび冷凍室扉用操作検知部２４ｃは扉の幅方向の略中心線上に配置され、扉の左右方向を長手方向として連続的に配置されている。
【００５６】
図５は冷蔵室扉用操作検知部２４ａの断面を示したが、野菜室用扉検知部２４ｂおよび冷凍室用扉検知部２４ｃについても、同様の断面構成となる。
【００５７】
その他の構成、及び動作は実施の形態１と同様であるが、使用者が扉を開ける為に取手３５に手を添えると自然に操作検知部２４に触れる為、扉開放の初期には電動の開扉動作が行われ、その後扉開放を手動で行うという動作がよりスムーズで行いやすくなり、より良好な開扉操作性を得ることができる。
【００５８】
また、これらの取手３５および操作検知部２４は、使用者の違和感をなくし、スムーズに動作できるように、回転式扉については、回動軸と反対側の端部に近い部分に上下方向を長手方向として設置し、引出し扉においては幅方向の中心付近を中心に左右方向を長手方向として設置することで、使用者の腕や手首がスムーズに動作ができるように考慮している。
【００５９】
また図５に示したように表面板２７を冷蔵室扉１８よりもわずかに突出しているだけでほぼ冷蔵室扉１８の前面と違和感なく設置することができ、冷蔵庫の外観意匠を向上させ、デザイン性と機能性の両方に優れた冷蔵庫を提供することができる。
【００６０】
なお、本実施の形態においては、引出し式の扉である野菜室扉１９、製氷室扉２０、切替室扉２１、冷凍室扉２２のうち、容量が大きくまた重量が重くなる為に開扉動作の際の負荷が大きくなる野菜室扉１９および冷凍室扉２２にのみ冷蔵庫の開扉動作を行う動作手段を備えたが、比較的容量の小さい製氷室扉２０、切替室扉２１に動作手段を備えるとより冷蔵庫の使い勝手を向上させることができる。
【００６１】
（実施の形態３）
図６は、本発明の実施の形態３における冷蔵庫の正面図である。図７は、同実施の形態のＣ−Ｃ断面を示す要部断面図である。
【００６２】
図６、図７において、操作検知部２４は、シート状の接点スイッチ３６と、スイッチ保持板３７と、スイッチケース３８と、表面板２７から構成されており、接点スイッチ３６はスイッチ保持板３７に貼り付けられ、スイッチケース３８に取り付けられる。スイッチケース３８の表面には接点スイッチ３６を保護する表面板２７が設けられている。この時、冷蔵室扉１８に対する表面板２７の突出代は１ｍｍ〜２ｍｍ程度である。
【００６３】
以上のように構成された冷蔵庫について、以下その動作、作用を説明する。
【００６４】
まず、操作検知部２４に手が触れると、表面板２７が微小量変形し、接点スイッチ３６を押す。接点スイッチ３６の接点間隔は０．１ｍｍから０．５ｍｍ程度に設定されており、表面板２７の微小変形により、電気的に導通する。導通の有無は制御部３３にて判定され、動作手段３１へ動作信号を送る。動作信号を受けた動作手段３１は、モータもしくはソレノイドを駆動させ、プッシュロッド３２を冷蔵室扉１８方向に押し出し、冷蔵室扉１８を開放させる。
【００６５】
表面板２７はＡＢＳ樹脂やＰＥＴ樹脂等の薄板であり、その板厚は０．２ｍｍから１ｍｍ程度に設定される。このため指で触った時には容易に変形し、接点スイッチ３６のＯＮ動作を妨げることは無い。
【００６６】
また、表面板２７は、スイッチケース３８に接着剤や高周波溶着等の手段で全周が固定されており、外部からの水浸入を防止する構造となっている。さらに、スイッチケース３８と冷蔵室扉１８間も防水の構造をとっている。これらから、外部から水がかかったとしても、接点スイッチ３６は水に濡れることがなく、正常な動作を確保することができる。
【００６７】
接点スイッチ３６の接点間隔は非常に微小であり、操作に要するストロークも極わずかで済む。かつ、接点を導通させるために必要な押し力も０．５Ｎから２Ｎ程度に設定されており、低操作力での開扉動作が実現できる。
【００６８】
さらに、接点スイッチ３６はどの場所を触っても一定の押力で動作する特徴を持ち、広範囲な操作が可能となる。
【００６９】
また、接点スイッチ３６の最も前面側の表面にはポリエステル等からなる薄板で、表面への印刷が可能である為、接点スイッチをデザイン性の高い色や模様にすることができるので、冷蔵室扉１８とは違った色やデザインを施すことによって、操作検知部２４を官能的に見やすくすることに加え、冷蔵庫の外観意匠を向上させることができる。
【００７０】
また、接点スイッチ３６の表面を保護する目的で備えられる表面板２７は冷蔵室扉１８からの突出代は１ｍｍから２ｍｍ程度であるので、デザイン性を損なうことなく、操作性を向上させることができる。
【００７１】
さらに接点スイッチ３６の表面を保護する目的で備えられる表面板２７を透明や半透明のものにすることで、接点スイッチ３６と重ねてデザイン性を高めることが出来る。
【００７２】
（実施の形態４）
図８は、本発明の実施の形態４における冷蔵庫の正面図である。
【００７３】
図８において、冷蔵庫扉１８には静電センサ３９が設けられている。静電センサ３９はセンサ部４０と、回路部４１から構成されているが、センサ部４０の材質としてはＡＢＳ樹脂などのプラスチック材料にクロムメッキを施したものを使用している。なお、操作部２５の材質は導電性であれば良く、アルミニウムの押し出し材、ステンレス板等も使用可能である。
【００７４】
また、センサ部４０と回路部４１間、及び回路部４１と制御部３３間、制御部３３間と動作手段３１間は電気的に接続されている。
【００７５】
以上のように構成された冷蔵庫について、以下その動作、作用を説明する。
【００７６】
まず、センサ部４０に手が触れ、センサ部４０の静電容量が変化すると、回路部４１にて所定の判定値により接触の有無を判別する。接触ありと判断されると電気信号が制御部３３に送られ、さらに動作手段３１に動作信号が送られる。動作信号を受けた動作手段３１は、モータもしくはソレノイドを駆動させ、プッシュロッド３２を冷蔵室扉１８方向に押し出し、冷蔵室扉１８を開放させる。
【００７７】
静電センサ３９は電気的に絶縁できる材料、例えばＡＢＳ樹脂などのプラスチック材料を介して冷蔵室扉１８に設けられており、冷蔵室扉１８自体に触れたときの誤動作がない様配慮されている。
【００７８】
静電センサ３９はその特性上、操作時に変形させる必要がなく、操作にかかる押し力が非常に少なくて済み、低操作力の開扉動作を実現することができる。
【００７９】
（実施の形態５）
図９は、本発明の実施の形態５における冷蔵庫の正面図である。図１０は、同実施の形態の扉開状態を示す冷蔵庫の側面図である。また、図９におけるＡ−Ａ断面は、図２に示す要部断面図と同様である。
【００８０】
図９、図１０、図２において、冷蔵庫本体２は前面が開口された複数の貯蔵室、すなわち冷蔵室１３と、野菜室１４と、製氷室１５と、切替室１６と、冷凍室１７を備えている。この時、製氷室１５と切替室１６は同一高さに平行して配置されている。また、これら複数の貯蔵室に対応し、各貯蔵室の開口部を閉塞するよう複数の扉、すなわち冷蔵室右扉４２と、冷蔵室左扉４３と、野菜室扉１９と、製氷室扉２０と、切替室扉２１と、冷凍室扉２２が配置されている。冷蔵庫本体２からは上下に対向したヒンジピン２３が延伸されており、冷蔵室右扉４２及び冷蔵室左扉４３の一端を軸支している。冷蔵室右扉４２及び冷蔵室左扉４３は、ヒンジピン２３を中心として回転し、開閉することが可能である。冷蔵室右扉４２及び冷蔵室左扉４３の下端には、手で冷蔵室扉を開閉させるための取手４４が設けられている。また、製氷室扉２０、切替室扉２１、野菜室扉１９、冷凍室扉２２は引き出し式の扉であり、手前方向にスライドして開閉が可能である。
【００８１】
冷蔵室右扉４２には、操作検知部２４が設けられており、操作検知部２４は、操作検知手段２５と、センサケース２６と、表面板２７と、弾性体２８とから構成されている。操作検知部２４の大きさとしては、少なくとも手のひら全体が触れる大きさである１５０ｍｍ以上の長さであることが好ましい。
【００８２】
この時、表面板２７はＡＢＳ樹脂、ＰＥＴ樹脂などの薄板であり、接着剤あるいは高周波溶着等でセンサケース２６に固定されている。弾性体２８は、例えばポリウレタンフォームやポリエチレンフォームの様な発泡体を使用している。
【００８３】
振動検知手段２５は、圧電素子２９と回路部３０とからなり、圧電素子２９は表面板２７と弾性体２８の間で挟持されるように配置されている。
【００８４】
また、操作検知部２４は、長手方向を冷蔵庫の上下方向とし、またさらにヒンジピン２３を中心とした回転軸から略反対側、すなわち冷蔵室右扉４２の中心線よりも反回転軸側で、かつ、扉端部の近傍に配置されている。
【００８５】
冷蔵庫本体２の上部には動作手段３１が設けられており、プッシュロッド３２を動作させる。なお、図示はしないが、動作手段３１としてはモータ駆動のアクチュエータや、ソレノイド方式の駆動装置が用いられる。
【００８６】
冷蔵庫本体２の背面には制御部３３が設けられており、振動検知手段２５と制御部３３間、及び制御部３３と動作手段３１間は電気的に接続されている。
【００８７】
以上のように構成された冷蔵庫について、以下その動作、作用を説明する。
【００８８】
まず、操作検知部２４に手が触れると、表面板２７に印加された振動が圧電素子２９に伝わり、電気信号を発生させる。圧電素子２９で発生した電気信号は非常に微弱であり、回路部３０にて増幅される。その後、増幅された電気信号の値がある一定の値を超えていると判断された場合にＯＮ信号を発生させる。回路部３０から送られたＯＮ信号は電気的に接続された制御部３３に送られ、ＯＮ信号のパルス幅が所定の値を超えている場合に接触があったと判断する。接触有りと判断すると、同じく電気的に接続された動作手段３１へ動作信号を送る。動作信号を受けた動作手段３１は、モータもしくはソレノイドを駆動させ、プッシュロッド３２を冷蔵室右扉４２方向に押し出し、冷蔵室右扉４２を開放させる。
【００８９】
また、操作検知部２４は冷蔵室右扉４２に上下方向に連続的に配置されており、大人から子供まで身長にかかわらず操作が可能である。
【００９０】
さらに、操作検知部２４の大きさは、１５０ｍｍ以上の手のひら全体が接触可能な長さに設定されているため、操作検知部を正確に狙わずとも大体の目安で操作することができる。
【００９１】
これらのことより、操作検知部２４への操作は、操作方法の限定を少なくすることができ、手の甲、ひじ、腕等、手のひら以外の部位でも操作可能にすることができる。よって、鍋等を手に持っている場合の開扉操作が行いやすくなる。
【００９２】
さらに、操作検知部２４は回転式扉である冷蔵室右扉４２の反回転軸側、かつ端面近傍に設置されているが、これは、操作検知部２４に接触して冷蔵室右扉４２が手前方向に開いたときの安全性確保と違和感の防止を図ったものである。安全性を確保するために、冷蔵室右扉４２はある一定の速度以下で動作するよう設定される。しかしながら、このような速度ではドアを全開まで開くことは難しく、初期動作後は手で介添えしながらドアを開いていくことになる。このときに、操作検知部２４が冷蔵室右扉４２の反回転軸側で、端面近傍にあると、操作後の介添え動作が違和感なくスムーズに行えるのである。
【００９３】
また、操作検知部２４には振動検知手段２５を設け、動作手段３１を駆動させるスイッチとして用いている。さらに振動検知手段２５は圧電素子２９を用いているが、これは軽い操作感を狙ったものである。操作検知部２４へは微小振動を加えるだけで済み、鍋等を手に持っている場合には、極わずか触れるだけで扉開放を行うことができる。
【００９４】
１５０ｍｍ以上で上下方向に連続的に配置された操作検知部を実現させるその他の手段としては、操作検知部２４に縦長の可動部材を設け、さらに可動部材の動きによって電気的にＯＮ、ＯＦＦするタクトスイッチを使用することが考えられる。人が可動部材をある一定量押し込むことによりタクトスイッチが電気的に接続し、動作手段３１を駆動させるのであるが、可動部材が長くなるに従い、タクトスイッチから遠い場所を触る場合は大きな操作力が必要になってくる。この問題を解決する為には、複数のタクトスイッチを用いるか、あるいは均一の操作力を得ることができる機構を設ける必要がある。しかしながら、これらの機械的な可動部を手で動かす方式では、ある一定以上の操作力が必要であり、操作力を低減することは困難となってくる。このような時に、本実施の形態の如く圧電素子２９を用いれば、広い範囲を均一な低操作力で操作することができる。
【００９５】
また、操作検知部２４以外の場所を触った時には誤動作することを防ぐ必要があるが、圧電素子２９を用いた振動検知手段２５の場合は、回路部３０で増幅された電気信号が一定値を超えているかを回路部３０内で判定する動作を行うことと、さらには回路部３０から送られたＯＮ信号のパルス幅が一定値を超えているかを制御部３３内で判定する動作を行っており、操作に対して二重の判定を設けている。操作検知部２４以外を直接触る場合と同じ操作力で触った場合には、回路部３０内で増幅後の信号は、直接触った場合に比べて小さく、一定値を超えることはない。また、操作検知部２４以外を激しく打撃した場合は、回路部３０内での増幅後の信号が一定値を超えＯＮ信号が出てしまうが、衝撃的な力が加わるため、ＯＮ信号のパルス幅は小さく出力される。制御部３３ではパルス幅が一定値未満の信号は接触していないと判断するため、動作手段３１が動くことはない。従って、操作検知部２４に触れた場合とそれ以外の場所に触れた場合を明確に切り分けることができる。
【００９６】
また、ＡＢＳ樹脂あるいはＰＥＴ樹脂の薄板でできた表面板２７は、１〜２Ｎの静荷重を印加した時に０．５ｍｍ程度撓むように厚みが設定されている。センサケース２６に圧入されている弾性体２８により、圧電素子２９は表面板２７に常に押し付けられている状態になっており、表面板２７に触るとその振動が圧電素子２９に伝わるようになっている。これにより、微少な振動でも圧電素子２９へ確実に伝えることができる。
【００９７】
また、冷蔵室右扉４２は、冷蔵室左扉４３よりも大きく設定されている。扉には冷蔵庫本体２との間隙を埋め、外気の流入を防ぐガスケット（図示せず）が設けられているが、通常ガスケットには冷蔵庫本体２との密着性を向上させるためにマグネットが備えられており、扉が大きくなるに従い扉を冷蔵庫本体から引き剥がし、開放させるための力は増大する傾向にある。したがって、冷蔵室右扉４２が本実施の形態の冷蔵庫では最も開扉操作に要する力が大きく、部品点数を押さえつつ低操作力の開扉動作を実現するためには、操作検知部２４と動作手段３１を冷蔵庫４２側に配置することが最も効率的である。
【００９８】
以上のように、本実施の形態では、操作検知部２４を冷蔵室右扉４２に上下方向に連続的に配置することにより、広範囲での操作検知が可能となり、かつ、身長にかかわらず操作することができ、良好な開扉操作性を得ることができる。
【００９９】
また、本実施の形態では、操作検知部２４の大きさを手のひら全体が接触可能な長さに設定したため、大体の目安で操作することができ、操作の自由度が高く、良好な開扉操作性を得ることができる。
【０１００】
また、本実施の形態では、操作検知部２４を冷蔵室右扉４２の反回転軸側、かつ端面近傍に設けているため、操作後の介添え動作がスムーズであり、良好な開扉操作性を得ることができる。
【０１０１】
また、本実施の形態では、操作検知部２４に振動検知手段２５を設け、かつ、振動検知手段２５に圧電素子２９を用いたため、微小振動検知による動作信号の発生が可能となり、低操作力での開扉動作を実現することができる。
【０１０２】
なお、操作検知部２４及び動作手段３１は、冷蔵室左扉４３側にあっても良く、冷蔵室左扉４３に付属し可動する構造物、例えば可倒式冷蔵室仕切り板等があり、開扉操作力が大きくなる場合には有効に作用する。また、操作検知部２４及び動作手段３１が、冷蔵室右扉４２と冷蔵室左扉４３の両方にあっても差支えはなく、この場合はより低操作力の冷蔵庫を提供することができる。
【０１０３】
なお、操作検知部２４及び動作手段３１は、引き出し式扉、すなわち製氷室扉２０、切替室扉２１、野菜室扉１９、冷凍室扉２２にあっても良く、手のみならず足での操作も可能となり、より良好な開扉操作性を持つ冷蔵庫を提供することができる。
【０１０４】
（実施の形態６）
図１１は、本発明の実施の形態６における冷蔵庫の正面図である。図１２は、同実施の形態の扉開状態を示す冷蔵庫の側面図である。また、図１１におけるＡ−Ａ断面は、図２に示す要部断面図と同様である。
【０１０５】
図１１、図１２、図２において、冷蔵庫本体２は前面が開口された複数の貯蔵室、すなわち冷蔵室１３と、野菜室１４と、製氷室１５と、冷凍室１７と、冷凍室４５を備えている。また、これら複数の貯蔵室に対応し、各貯蔵室の開口部を閉塞するよう複数の扉、すなわち冷蔵室右扉４２と、冷蔵室左扉４３と、野菜室扉１９と、製氷室扉２０と、冷凍室扉２２と、冷凍室扉４６が配置されている。冷蔵庫本体２からは上下に対向したヒンジピン２３が延伸されており、冷蔵室右扉４２の一端を軸支している。冷蔵室右扉４２は、ヒンジピン２３を中心として回転し、開閉することが可能である。冷蔵室右扉４２の下端には、取手４４が設けられている。また、冷蔵室左扉４３、製氷室扉２０、野菜室扉１９、冷凍室扉２２、冷凍室扉４６は引き出し式の扉であり、手前方向にスライドして開閉が可能である。この時、冷蔵室左扉４３、製氷室扉２０、冷凍室扉４６の各側面には取手４４が設けられている。さらに、野菜室扉１９、冷凍室扉２２の正面にも取手４４が設けられている。
【０１０６】
冷蔵室右扉４２には、操作検知部２４が設けられており、操作検知部２４は、操作検知手段２５と、センサケース２６と、表面板２７と、弾性体２８とから構成されている。操作検知部２４の大きさとしては、少なくとも手のひら全体が触れる大きさである１５０ｍｍ以上の長さであることが好ましい。
【０１０７】
この時、表面板２７はＡＢＳ樹脂、ＰＥＴ樹脂などの薄板であり、接着剤あるいは高周波溶着等でセンサケース２６に固定されている。弾性体２８は、例えばポリウレタンフォームやポリエチレンフォームの様な発泡体を使用している。
【０１０８】
振動検知手段２５は、圧電素子２９と回路部３０とからなり、圧電素子２９は表面板２７と弾性体２８の間で挟持されるように配置されている。
【０１０９】
また、操作検知部２４は、長手方向を冷蔵庫の上下方向とし、またさらにヒンジピン２３を中心とした回転軸から略反対側、すなわち冷蔵室右扉４２の中心線よりも反回転軸側で、かつ、扉端部の近傍に配置されている。
【０１１０】
冷蔵庫本体２の上部には動作手段３１が設けられており、プッシュロッド３２を動作させる。なお、図示はしないが、動作手段３１としてはモータ駆動のアクチュエータや、ソレノイド方式の駆動装置が用いられる。
【０１１１】
冷蔵庫本体２の背面には制御部３３が設けられており、振動検知手段２５と制御部３３間、及び制御部３３と動作手段３１間は電気的に接続されている。
【０１１２】
以上のように構成された冷蔵庫について、以下その動作、作用を説明する。
【０１１３】
まず、操作検知部２４に手が触れると、表面板２７に印加された振動が圧電素子２９に伝わり、電気信号を発生させる。圧電素子２９で発生した電気信号は非常に微弱であり、回路部３０にて増幅される。その後、増幅された電気信号の値がある一定の値を超えていると判断された場合にＯＮ信号を発生させる。回路部３０から送られたＯＮ信号は電気的に接続された制御部３３に送られ、ＯＮ信号のパルス幅が所定の値を超えている場合に接触があったと判断する。接触有りと判断すると、同じく電気的に接続された動作手段３１へ動作信号を送る。動作信号を受けた動作手段３１は、モータもしくはソレノイドを駆動させ、プッシュロッド３２を冷蔵室右扉４２方向に押し出し、冷蔵室右扉４２を開放させる。
【０１１４】
また、操作検知部２４は冷蔵室右扉４２に上下方向に連続的に配置されており、大人から子供まで身長にかかわらず操作が可能である。
【０１１５】
さらに、操作検知部２４の大きさは、１５０ｍｍ以上の手のひら全体が接触可能な長さに設定されているため、操作検知部を正確に狙わずとも大体の目安で操作することができる。
【０１１６】
これらのことより、操作検知部２４への操作は、操作方法の限定を少なくすることができ、手の甲、ひじ、腕等、手のひら以外の部位でも操作可能にすることができる。よって、鍋等を手に持っている場合の開扉操作が行いやすくなる。
【０１１７】
さらに、操作検知部２４は回転式扉である冷蔵室右扉４２の反回転軸側、かつ端面近傍に設置されているが、これは、操作検知部２４に接触して冷蔵室右扉４２が手前方向に開いたときの安全性確保と違和感の防止を図ったものである。安全性を確保するために、冷蔵室右扉４２はある一定の速度以下で動作するよう設定される。しかしながら、このような速度ではドアを全開まで開くことは難しく、初期動作後は手で介添えしながらドアを開いていくことになる。このときに、操作検知部２４が冷蔵室右扉４２の反回転軸側で、端面近傍にあると、操作後の介添え動作が違和感なくスムーズに行えるのである。
【０１１８】
また、操作検知部２４には振動検知手段２５を設け、動作手段３１を駆動させるスイッチとして用いている。さらに振動検知手段２５は圧電素子２９を用いているが、これは軽い操作感を狙ったものである。操作検知部２４へは微小振動を加えるだけで済み、鍋等を手に持っている場合には、極わずか触れるだけで扉開放を行うことができる。
【０１１９】
１５０ｍｍ以上で上下方向に連続的に配置された操作検知部を実現させるその他の手段としては、操作検知部２４に縦長の可動部材を設け、さらに可動部材の動きによって電気的にＯＮ、ＯＦＦするタクトスイッチを使用することが考えられる。人が可動部材をある一定量押し込むことによりタクトスイッチが電気的に接続し、動作手段３１を駆動させるのであるが、可動部材が長くなるに従い、タクトスイッチから遠い場所を触る場合は大きな操作力が必要になってくる。この問題を解決する為には、複数のタクトスイッチを用いるか、あるいは均一の操作力を得ることができる機構を設ける必要がある。しかしながら、これらの機械的な可動部を手で動かす方式では、ある一定以上の操作力が必要であり、操作力を低減することは困難となってくる。このような時に、本実施の形態の如く圧電素子２９を用いれば、広い範囲を均一な低操作力で操作することができる。
【０１２０】
また、操作検知部２４以外の場所を触った時には誤動作することを防ぐ必要があるが、圧電素子２９を用いた振動検知手段２５の場合は、回路部３０で増幅された電気信号が一定値を超えているかを回路部３０内で判定する動作を行うことと、さらには回路部３０から送られたＯＮ信号のパルス幅が一定値を超えているかを制御部３３内で判定する動作を行っており、操作に対して二重の判定を設けている。操作検知部２４以外を直接触る場合と同じ操作力で触った場合には、回路部３０内で増幅後の信号は、直接触った場合に比べて小さく、一定値を超えることはない。また、操作検知部２４以外を激しく打撃した場合は、回路部３０内での増幅後の信号が一定値を超えＯＮ信号が出てしまうが、衝撃的な力が加わるため、ＯＮ信号のパルス幅は小さく出力される。制御部３３ではパルス幅が一定値未満の信号は接触していないと判断するため、動作手段３１が動くことはない。従って、操作検知部２４に触れた場合とそれ以外の場所に触れた場合を明確に切り分けることができる。
【０１２１】
また、ＡＢＳ樹脂あるいはＰＥＴ樹脂の薄板でできた表面板２７は、１〜２Ｎの静荷重を印加した時に０．５ｍｍ程度撓むように厚みが設定されている。センサケース２６に圧入されている弾性体２８により、圧電素子２９は表面板２７に常に押し付けられている状態になっており、表面板２７に触るとその振動が圧電素子２９に伝わるようになっている。これにより、微少な振動でも圧電素子２９へ確実に伝えることができる。
【０１２２】
また、冷蔵室右扉４２は、冷蔵室左扉４３よりも大きく設定されている。扉には冷蔵庫本体２との間隙を埋め、外気の流入を防ぐガスケット（図示せず）が設けられているが、通常ガスケットには冷蔵庫本体２との密着性を向上させるためにマグネットが備えられており、扉が大きくなるに従い扉を冷蔵庫本体から引き剥がし、開放させるための力は増大する傾向にある。したがって、冷蔵室右扉４２の開扉操作に要する力は比較的大きく、部品点数を押さえつつ低操作力の開扉動作を実現するためには、操作検知部２４と動作手段３１を冷蔵庫４２側に配置することが効率的である。
【０１２３】
以上のように、本実施の形態では、操作検知部２４を冷蔵室右扉４２に上下方向に連続的に配置することにより、広範囲での操作検知が可能となり、かつ、身長にかかわらず操作することができ、良好な開扉操作性を得ることができる。
【０１２４】
また、本実施の形態では、操作検知部２４の大きさを手のひら全体が接触可能な長さに設定したため、大体の目安で操作することができ、操作の自由度が高く、良好な開扉操作性を得ることができる。
【０１２５】
また、本実施の形態では、操作検知部２４を冷蔵室扉右扉４２の反回転軸側、かつ端面近傍に設けているため、操作後の介添え動作がスムーズであり、良好な開扉操作性を得ることができる。
【０１２６】
また、本実施の形態では、操作検知部２４に振動検知手段２５を設け、かつ、振動検知手段２５に圧電素子２９を用いたため、微小振動検知による動作信号の発生が可能となり、低操作力での開扉動作を実現することができる。
【０１２７】
なお、操作検知部２４及び動作手段３１は、冷蔵室左扉４３側にあっても良い。冷蔵室左扉４３は手前側に直線的に引き出せる引き出し扉であり、主にＰＥＴボトル、ビン類等の重量物を収納するようになっている。収納物が冷蔵庫右扉４２よりも多くなると、ガスケットの大きさにかかわらず必要な開扉操作力が大きくなることもあり得る。この場合は、操作検知部２４と動作手段３１を冷蔵室左扉４３側に設けることにより、低操作力の冷蔵庫を提供することができる。また、操作検知部２４及び動作手段３１が、冷蔵室右扉４２側と冷蔵室左扉４３側の両方にあっても差支えはなく、この場合はより低操作力の冷蔵庫を提供することができる。
【０１２８】
なお、操作検知部２４及び動作手段３１は、製氷室扉２０、野菜室扉１９、冷凍室扉２２、冷凍室扉４６にあっても良く、手のみならず足での操作も可能となり、より良好な開扉操作性を持つ冷蔵庫を提供することができる。
【産業上の利用可能性】
【０１２９】
以上のように、本発明にかかる冷蔵庫は、低操作力で良好な開扉操作性を得ることができるので、家庭用のみならず業務用の冷蔵庫にも適用できる。また、本構成をとれば、自動で扉を開閉する機器、例えば食器洗い乾燥機等にも適用することが可能である。
【図面の簡単な説明】
【０１３０】
【図１】本発明の実施の形態１における冷蔵庫の正面図
【図２】本発明の実施の形態１におけるＡ−Ａ断面を示す要部断面図
【図３】本発明の実施の形態１における扉開状態を示す冷蔵庫の側面図
【図４】本発明の実施の形態２における冷蔵庫の正面図
【図５】本発明の実施の形態２におけるＢ−Ｂ断面を示す要部断面図
【図６】本発明の実施の形態３における冷蔵庫の正面図
【図７】本発明の実施の形態３におけるＣ−Ｃ断面を示す要部断面図
【図８】本発明の実施の形態４における冷蔵庫の正面図
【図９】本発明の実施の形態５における冷蔵庫の正面図
【図１０】本発明の実施の形態５における扉開状態を示す冷蔵庫の側面図
【図１１】本発明の実施の形態６における冷蔵庫の正面図
【図１２】本発明の実施の形態６における扉開状態を示す冷蔵庫の側面図
【図１３】従来の冷蔵庫の斜視図
【符号の説明】
【０１３１】
２    冷蔵庫本体
１８  扉（冷蔵室扉）
１９  扉（野菜室扉）
２０  扉（製氷室扉）
２１  扉（切替室扉）
２２  扉（冷凍室扉）
２４  操作検知部
２５  振動検知手段
２９  圧電素子
３１  動作手段
３５  取手
３６  接点スイッチ
３９  静電センサ
４２  扉（冷蔵室右扉）
４３  扉（冷蔵室左扉）
４６  扉（冷凍室扉）
【図１】
2006220388.tif 000003
【図２】
2006220388.tif 000004
【図３】
2006220388.tif 000005
【図４】
2006220388.tif 000006
【図５】
2006220388.tif 000007
【図６】
2006220388.tif 000008
【図７】
2006220388.tif 000009
【図８】
2006220388.tif 000010
【図９】
2006220388.tif 000011
【図１０】
2006220388.tif 000012
【図１１】
2006220388.tif 000013
【図１２】
2006220388.tif 000014
【図１３】
2006220388.tif 000015